(57)【要約】【課題】一対の記録シート挟持回転部材の圧接する圧接領域から排出される記録シートを前記記録シート挟持回転部材表面から剥離させる剥離シートの先端と、前記記録シート挟持回転部材表面との間隙を軸方向に沿って一定に保持すること。【解決手段】記録シート挟持部（Ｑ５）に進入した記録シート（Ｓ）を挟持して記録シート（Ｓ）搬送方向に回転する一対の記録シート挟持回転部材（Ｆｈ，Ｆｐ）と、前記記録シート挟持部から排出される記録シート（Ｓ）を前記一対の記録シート挟持回転部材（Ｆｈ，Ｆｐ）のうちのいずれか１つの記録シート挟持回転部材（Ｆｈ）の表面から剥離させるために前記１つの記録シート挟持回転部材（Ｆｈ）の表面に先端部が近接し且つ前記記録シート挟持回転部材幅方向に沿って湾曲した形状で配置された剥離シート（２４；６３）と、を備えた記録シート剥離装置は、【選択図】図５
2006119677.tif 000002
【特許請求の範囲】
【請求項１】
搬送される記録シートの搬送方向に垂直な幅方向に延びるとともに互いに圧接する圧接領域により形成された記録シート挟持部に進入した記録シートを挟持して記録シート搬送方向に回転する一対の記録シート挟持回転部材と、
前記記録シート挟持部から排出される記録シートを前記一対の記録シート挟持回転部材のうちのいずれか１つの記録シート挟持回転部材の表面から剥離させるために前記１つの記録シート挟持回転部材の表面に先端部が近接し且つ前記記録シート挟持回転部材幅方向に沿って湾曲した形状で支持されて配置された剥離シートと、
を備えたことを特徴とする記録シート剥離装置。
【請求項２】
前記幅方向の中央部が前記記録シート挟持回転部材側に撓むように支持された前記剥離シート、
を備えたことを特徴とする請求項１に記載の記録シート剥離装置。
【発明の詳細な説明】
【技術分野】
【０００１】
本発明は、画像が形成される記録シートを挟持して記録シート搬送方向に回転する一対の記録シート挟持回転部材を通過する記録シートを、前記記録シート挟持回転部材の表面から剥離させる記録シート剥離装置に関する。
本発明の記録シート剥離装置は、プリンタ、複写機、ＦＡＸ等の画像形成装置等の、一対の転写用回転部材を有する転写装置または一対の定着用回転部材を有する定着装置等で使用される。
【背景技術】
【０００２】
従来、画像形成装置の定着装置は、圧接しながら回転する一対の定着ロールを有し、各定着ロールの圧接領域である定着領域を通過する記録シート上のトナー像を加熱定着している。各定着ロールは、互いに圧接する定着位置と互いに離隔した離隔位置との間で移動可能に支持されており、定着動作時には前記定着位置に配置される。定着動作時に前記一対の定着領域から排出される記録シートを定着ロール表面から剥離させるために、先端部が前記定着ロール表面に近接して配置される剥離シート（記録シートを剥離させるためのシート剥離部材）が使用されている。この種の剥離シートとしては、次の技術（Ｊ01）が従来公知である。
（Ｊ01）特開平１１−１８４３００号公報記載の技術
この公報に記載された定着ロールから記録シートを剥離させるための剥離シートは、プラスチック製または金属製のシートであり、その先端は直線に沿って形成されている。
【０００３】
【特許文献１】特開平１１−１８４３００号公報
【発明の開示】
【発明が解決しようとする課題】
【０００４】
（前記従来技術（Ｊ01）の問題点）
前記従来技術（Ｊ01）に記載された剥離シートは、一対の定着ロールを圧接させたときの荷重により大きく撓む。薄肉の定着ロールに設置した場合、ロール中央部の間隙が４００μｍ以上となり、通過する記録シートの画像に障害が生じたり、剥離不良が起こるという問題点がある。
【０００５】
また一般に、一対の定着ロールを互いに圧接させたり離隔させたりする機構としてカムが使用されている。記録シートが定着領域の通過時に紙詰まりした場合、前記カムを回転させて一対の定着ロールを離隔させると、圧接状態が解除されて撓みの無い状態に戻る。この時、定着ロールと微小な寸法で離れて配置された剥離シートと定着ロールとが干渉（接触）するという問題点もある。
【０００６】
前記説明では、定着装置の一対の定着ロール（記録シート挟持回転部材）から排出される記録シートを定着ロールから剥離させる剥離シートについて説明したが、転写装置のバックアップロールに支持された中間転写ベルトおよび２次転写ロールにより構成される一対の転写用回転部材（すなわち、一対の記録シート挟持回転部材）さらにベルト上の未定着トナー像を記録シートに加熱により転写、定着を同時に行なう転写定着装置や、加熱側をベルト状回転部材とした加熱ベルト定着装置に対しても本発明を適用可能である。
【０００７】
本発明は、前述の事情に鑑み、下記（Ｏ01），（Ｏ02）の記載内容を課題とする。
（Ｏ01）一対の記録シート挟持回転部材の圧接する圧接領域から排出される記録シートを前記記録シート挟持回転部材表面から剥離させる剥離シートの先端と、前記記録シート挟持回転部材表面との間隙を軸方向に沿って一定に保持すること。
（Ｏ02）一対の記録シート挟持回転部材の圧接する圧接領域から排出される記録シートを前記記録シート挟持回転部材表面から剥離させる剥離シートと、前記記録シート挟持回転部材表面との干渉を防止すること。
【課題を解決するための手段】
【０００８】
次に、前記課題を解決するために案出した本発明を説明するが、本発明の要素には、後述の実施の形態の要素との対応を容易にするため、実施の形態の要素の符号をカッコで囲んだものを付記する。また、本発明を後述の実施の形態の符号と対応させて説明する理由は、本発明の理解を容易にするためであり、本発明の範囲を実施の形態に限定するためではない。
【０００９】
（本発明）
前記課題を解決するために、本発明の記録シート剥離装置は、
搬送される記録シート（Ｓ）の搬送方向に垂直な幅方向に延びるとともに互いに圧接する圧接領域により形成された記録シート挟持部（Ｑ５）に進入した記録シート（Ｓ）を挟持して記録シート（Ｓ）搬送方向に回転する一対の記録シート挟持回転部材（Ｆｈ，Ｆｐ）と、
前記記録シート挟持部から排出される記録シート（Ｓ）を前記一対の記録シート挟持回転部材（Ｆｈ，Ｆｐ）のうちのいずれか１つの記録シート挟持回転部材（Ｆｈ）の表面から剥離させるために前記１つの記録シート挟持回転部材（Ｆｈ）の表面に先端部が近接し且つ前記記録シート挟持回転部材幅方向に沿って湾曲した形状で配置された剥離シート（２４；６３）と、
を備えたことを特徴とする。
【００１０】
（本発明の作用）
前記構成を備えた本発明の記録シート剥離装置では、搬送される記録シート（Ｓ）の搬送方向に垂直な幅方向に延びる一対の記録シート挟持回転部材（Ｆｈ，Ｆｐ）は、記録シート（Ｓ）を挟持して記録シート（Ｓ）搬送方向に回転する。
前記剥離シート（２４；６３）は、前記一対の記録シート挟持回転部材（Ｆｈ，Ｆｐ）のうちのいずれか１つの表面に先端部が近接し且つ前記幅方向に沿って湾曲した形状で配置される。
したがって、湾曲した形状の剥離シート（２４；６３）により、剥離シート（２４；６３）の先端部の位置を、前記一対の記録シート挟持回転部材（Ｆｈ，Ｆｐ）の記録シート挟持部（Ｑ５）の軸方向に沿って適切な位置に配置することができる。このため、前記記録シート挟持部（Ｑ５）から排出される記録シート（Ｓ）を前記記録シート挟持回転部材（Ｆｈ，Ｆｐ）の表面から確実に剥離させることが可能となる。
【００１１】
（本発明の構成要件の具体例１）
本発明の構成要件の具体例１では、前記本発明において、
前記幅方向の中央部が前記記録シート挟持回転部材（Ｆｈ，Ｆｐ）側に撓むように支持された前記剥離シート（２４；６３）、
を備えたことを特徴とする。
前記構成要件を備えた場合、前記剥離シート（２４；６３）は、前記幅方向の中央部が前記記録シート挟持回転部材（Ｆｈ，Ｆｐ）側に撓むように支持される。
【発明の効果】
【００１２】
前述の本発明は、下記の効果を奏することができる。
（Ｅ01）一対の記録シート挟持回転部材の圧接する圧接領域から排出される記録シートを前記記録シート挟持回転部材表面から剥離させる剥離シートの先端と、前記記録シート挟持回転部材表面との間隙を軸方向に沿って一定に保持することができる。
（Ｅ02）一対の記録シート挟持回転部材の圧接する圧接領域から排出される記録シートを前記記録シート挟持回転部材表面から剥離させる剥離シートと、前記記録シート挟持回転部材表面との干渉を防止することができる。
【発明を実施するための最良の形態】
【００１３】
次に図面を参照しながら、本発明の実施の形態を説明するが、本発明は以下の実施の形態に限定されるものではない。
なお、以後の説明の理解を容易にするために、図面において、前後方向をＸ軸方向、左右方向をＹ軸方向、上下方向をＺ軸方向とし、矢印Ｘ，−Ｘ，Ｙ，−Ｙ，Ｚ，−Ｚで示す方向または示す側をそれぞれ、前方、後方、右方、左方、上方、下方、または、前側、後側、右側、左側、上側、下側とする。
また、図中、「○」の中に「・」が記載されたものは紙面の裏から表に向かう矢印を意味し、「○」の中に「×」が記載されたものは紙面の表から裏に向かう矢印を意味するものとする。
【００１４】
（実施の形態１）
図１は本発明の実施の形態１の記録シート剥離装置を備えた定着装置を有するカラー画像形成装置の説明図である。
図１において、画像形成装置Ｕは、自動原稿搬送装置Ｕ1とこれを支持するプラテンガラスＰＧを有する画像形成装置本体（複写機）Ｕ2とを備えている。
前記自動原稿搬送装置Ｕ1は、複写しようとする複数の原稿Ｇｉが重ねて載置される原稿給紙トレイＴＧ1と、原稿給紙トレイＴＧ1から前記プラテンガラスＰＧ上の複写位置（原稿読取位置）を通過して搬送される原稿Ｇｉが排出される原稿排紙トレイＴＧ2とを有している。
前記画像形成装置本体Ｕ２は、ユーザがコピースタート等の作動指令信号を入力操作するＵＩ（ユーザインタフェース）、露光光学系Ａ等を有している。
前記自動原稿搬送装置Ｕ１でプラテンガラスＰＧ上を搬送される原稿または手動でプラテンガラスＰＧ上に置かれた原稿（図示せず）からの反射光は、前記露光光学系Ａを介して、ＣＣＤ（固体撮像素子）でＲ（赤）、Ｇ（緑）、Ｂ（青）の電気信号に変換される。
ＩＰＳ（イメージプロセッシングシステム）は、前記ＲＧＢの電気信号をＹ（イエロー）、Ｍ（マゼンタ）、Ｃ（シアン）、Ｋ（黒）の画像データに変換して一時的に記憶し、前記画像データを所定のタイミングでレーザ駆動回路ＤＬに出力する。
【００１５】
矢印Ｙａ方向に回転移動する像担持体（回転部材）ＰＲの表面は、帯電ロールＣＲにより一様に帯電され、潜像書込位置Ｑ1、現像領域Ｑ2、および１次転写領域Ｑ3を順次通過する。
前記レーザ駆動回路ＤＬにより駆動されるＲＯＳ（潜像書込装置）は、レーザビームＬにより前記潜像書込位置Ｑ1において露光走査し像担持体ＰＲ表面に静電潜像を形成する。フルカラー画像を形成する場合は、Ｙ（イエロー）、Ｍ（マゼンタ）、Ｃ（シアン）、Ｋ（黒）の４色の画像に対応した静電潜像が順次形成され、モノクロ画像の場合はＫ（黒）画像に対応した静電潜像のみが形成される。
【００１６】
ロータリ式の現像装置Ｇは、回転軸Ｇａの回転に伴って前記現像領域Ｑ2に順次回転移動するＹ（イエロー）、Ｍ（マゼンタ）、Ｃ（シアン）、Ｋ（黒）の４色の現像器ＧＹ，ＧＭ，ＧＣ，ＧＫを有している。前記各色の現像器ＧＹ，ＧＭ，ＧＣ，ＧＫは、前記現像領域Ｑ2に現像剤を搬送する現像ロールＧＲを有しており、現像領域Ｑ2を通過する像担持体ＰＲ上の静電潜像をトナー像Ｔｎに現像する。
【００１７】
前記像担持体ＰＲの下方には左右一対のスライドレールＳＲ，ＳＲによりスライドフレームＦ１（２点鎖線で表示）が前後（紙面に垂直な方向）にスライド移動可能に支持されている。スライドフレームＦ１にはベルトモジュールＢＭのベルトフレームＦ２がヒンジ軸Ｆ２a周りに上下に回動可能に支持されている。
前記ベルトモジュールＢＭは、前記中間転写ベルトＢを回転移動可能に支持する複数のベルト支持ロール（Ｒｄ，Ｒｔ，Ｒｆ，Ｔ２a）と、１次転写ロールＴ１と、コンタクトロールＴ２cと、それらを支持する前記ベルトフレームＦ２とを有している。
前記複数のベルト支持ロール（Ｒｄ，Ｒｔ，Ｒｆ，Ｔ２a）は、ベルト駆動ロールＲｄ、テンションロールＲｔ、アイドラロール（フリーロール）ＲｆおよびバックアップロールＴ２aを含み、バックアップロールＴ２aには前記コンタクトロールＴ２cが当接している。
【００１８】
前記ベルトモジュールＢＭは、前記ヒンジ軸Ｆ２a周りに上下に回動可能であり、下方に回動した状態では、前記スライドフレームＦ１とともに前記像担持体ＰＲと摩擦接触することなく、画像形成装置本体Ｕ２に対して出入可能である。
前記１次転写器Ｔ１は、コントローラＣが制御する電源回路Ｅによりトナーの帯電極性と逆極性の転写電圧が印加され、前記像担持体ＰＲ表面のトナー像Ｔｎを、１次転写領域Ｑ3において中間転写ベルトＢに１次転写する。フルカラー画像の場合、像担持体ＰＲ表面に順次形成される各色のトナー像Ｔｎは、前記１次転写領域Ｑ3において中間転写ベルトＢ表面に順次重ねて１次転写され、最終的にフルカラーの多重トナー像が中間転写ベルトＢ上に形成される。
単色のモノカラー画像を形成する場合には１個の現像器のみを使用し、単色トナー像が中間転写ベルトＢ上に１次転写される。
１次転写後、像担持体ＰＲ表面は、残留トナーが像担持体クリーナＣＬpによりクリーニングされ、除電ロールＪＲにより除電される。
【００１９】
前記バックアップロールＴ２aの下方には、左右一対のスライドレールＳＲ，ＳＲにより前後（紙面に垂直な方向）にスライド移動可能な２次転写スライドフレームＦsが、画像形成装置本体Ｕ２に対して着脱可能に支持されている。前記２次転写スライドフレームＦsには２次転写ユニットＵtの２次転写昇降フレームＦtがヒンジ軸Ｆta周りに上下に回動可能に支持されている。２次転写ユニットＵtは下方に回動した状態では前記ベルトモジュールＢＭと摩擦接触することなく、画像形成装置本体Ｕ２に対して出入可能である。
前記２次転写ユニットＵtは、２次転写ロールＴ２bと、２次転写ロールクリーナＣＬtと、ロール支持レバーＬｒと、転写後シートガイドＳＧ2と、シート搬送ベルトＢＨと、それらを支持する前記２次転写昇降フレームＦtと、を有している。
【００２０】
前記ロール支持レバーＬｒは、前記２次転写ロールＴ２bおよび２次転写ロールクリーナＣＬtを支持するレバーであり、図示しないモータによりヒンジ軸Ｌａ周りに回動され、前記２次転写ロールＴ２bを、前記中間転写ベルトＢに接触する２次転写位置および中間転写ベルトＢから離れた待機位置の間で移動させる。
前記２次転写ロールＴ２bおよび前記中間転写ベルトＢの接触領域により２次転写領域Ｑ4が形成され、前記２次転写ロールＴ２b、前記バックアップロールＴ２aおよびコンタクトロールＴ２cにより２次転写器Ｔ２が構成されている。
【００２１】
給紙トレイＴＲ1に収容された記録シートＳは、所定のタイミングでピックアップロールＲｐにより取り出され、さばきロールＲｓで１枚ずつ分離されて、レジロールＲｒに搬送される。前記レジロールＲｒに搬送された記録シートＳは、前記１次転写された多重トナー像または単色トナー像が２次転写領域Ｑ4に移動するのにタイミングを合わせて、転写前シートガイドＳＧ1から２次転写領域Ｑ4に搬送される。
前記２次転写領域Ｑ4を記録シートＳが通過する際、２次転写器Ｔ２のコンタクトロールＴ２cには、コントローラＣが制御する電源回路Ｅからトナーの帯電極性と同極性の２次転写電圧が印加される。前記２次転写器Ｔ２は、前記中間転写ベルトＢに重ねて１次転写されたカラートナー像を前記２次転写領域Ｑ4において一括して記録シートＳに２次転写する。
２次転写後の中間転写ベルトＢはベルトクリーナＣＬbにより残留トナーが除去される。また、前記２次転写ロールＴ２bは２次転写ロールクリーナＣＬtにより表面付着トナーが回収される。
【００２２】
なお、前記２次転写ロールＴ２bおよびベルトクリーナＣＬbは、中間転写ベルトＢと離接（離隔および接触）自在に配設されており、カラー画像が形成される場合には最終色の未定着トナー像が中間転写ベルトＢに１次転写されるまで、中間転写ベルトＢから離隔している。なお、前記２次転写ロールクリーナＣＬtは、前記２次転写ロールＴ２bと一緒に離接移動を行う。
トナー像が２次転写された前記記録シートＳは、転写後シートガイドＳＧ2、シート搬送ベルトＢＨにより定着領域Ｑ５に搬送される。定着領域Ｑ５は、加熱ロール（定着用加熱回転部材、記録シート挟持回転部材）Ｆｈおよび加圧ベルト（定着用加圧回転部材、記録シート挟持回転部材）Ｆｐ（一対の記録シート挟持回転部材ＦｈおよびＦｐ）の圧接領域（記録シート挟持部）により形成される領域である。前記記録シートＳは、定着領域Ｑ５を通過する際に前記加熱ロールＦｈおよび加圧ベルトＦｐを有する定着装置Ｆにより加熱定着される。トナー像が定着された記録シートＳは、記録シート排出トレイＴＲ2に排出される。
前記符号Ｒｐ，Ｒｓ，Ｒｒ，ＳＧ1，ＳＧ2，ＢＨで示された要素によりシート搬送装置ＳＨが構成されている。
【００２３】
（定着装置）
図２は図１に示す定着装置の全体説明図で斜視図である。
図３は前記図２のIII−III線断面の要部説明図で、加圧ベルトが加熱ロールに圧接している状態を示す図である。
図４は前記図２のIII−III線断面の要部説明図で、加圧ベルトが加熱ロールから離隔している状態を示す図である。
図５は前記図２のＶ−Ｖ線断面の要部説明図で、記録シートを加熱ロールから剥離させるための剥離部材の先端を定着ロール表面に接近して配置した定着動作位置に保持された状態を示す図である。
図６は前記図５の剥離部材の先端を定着ロール表面から離隔した離隔位置に保持された状態を示す図である。
図７は図３〜図６に示す加圧ベルト定着部材の要部説明図であり、加圧ベルトの内側の分解断面図である。
【００２４】
図２〜図４において、定着装置Ｆは、フロントプレート１、リアプレート２、およびそれらを連結する連結部材３等を有している。前記フロントプレート１およびリアプレート２は画像形成装置の固定フレーム（図示せず）に着脱可能に固定される。前記フロントプレート１およびリアプレート２により加熱ロールＦｈが回転可能に支持されており、加熱ロールＦｈの後端部には図示しないモータおよび回転力伝達部材により回転力が伝達されるように構成されている。
また、前記フロントプレート１およびリアプレート２により回転操作軸４が回転可能に支持されており、前記回転操作軸４の前端部には操作ハンドル（回転操作部材）６が固定されている。回転操作軸４の両端部にはそれぞれ、前記フロントプレート１またはリアプレート２の内側面に隣接する位置に、加圧ベルト（定着用加圧回転部材）Ｆｐを昇降させるための昇降カム７がねじＮ１により固定されている。
また図５、図６において、回転操作軸４には前記昇降カム７の内側に剥離部材移動用カム８がねじＮ２により固定されている。
前記操作ハンドル６が図２の状態にあるときには、前記カム７は図３の位置に保持され、カム８は図５の位置に保持される。また、前記操作ハンドル６が図２から半時計方向に回転すると、前記カム７は図３の位置から図４の位置に回転し、カム８は図５の位置から図６の位置に回転する。
【００２５】
図２、図５、図６において、前記回転操作軸４に回転可能に支持される剥離部材支持部材１１は、Ｕを横にした形の断面形状を有し前記回転操作軸４の３方を囲むように配置した中央部分１２（図２参照）と、その両端に設けた軸装着部１３，１３（図２参照）とを有している。前記軸装着部１３，１３は前記回転操作軸４に回転可能に嵌合している。
剥離部材支持部材１１にはガイドロール支持用板ばね１６および板ばね固定部材１７がねじ１８により固定されている。図５、図６において、ガイドロール支持用板ばね１６の下端部には複数のガイドロール１９が回転可能に支持されている。
【００２６】
図５〜図６及び図８において、前記剥離部材支持部材１１の中央部分１２の下側部分（剛性支持部材、すなわち、後述の剥離シート支持部材２５より高剛性の部材）１２ａには複数のボルト貫通孔１２ｂが形成されている。前記複数の各ボルト貫通孔１２ｂにはそれぞれ、連結ボルト２１が上方から下方に貫通している。前記連結ボルト２１には、中央部分１２の下面１２ａに隣接する部分にクリップ２２が装着されており、連結ボルト２１はボルト貫通孔１２ｂ内部で自由に回転可能であるが軸方向には移動不可能に構成されている。
【００２７】
各連結ボルト２１の下端部に連結される剥離部材２３は、記録シートを加熱ロール表面から剥離させるためのシート状剥離部材（すなわち、剥離シート）２４と、前記剥離シート２４を支持する板状の弾性のある剥離シート支持板２５と、前記剥離シート支持板２５の上面に固定され且つ前記複数の各連結ボルト２１に対応して配置されたねじ孔形成部材２６とを有している。
前記各ねじ孔形成部材２６のねじ孔には前記連結ボルト２１の下端部がねじ込まれている。前記連結ボルト２１の頭部２１ａを回転すると、連結ボルト２１の回転によりねじ孔形成部材２６が前記剛性支持部材１２ａに対して接近または離隔する。したがって、前記複数の連結ボルト２１と前記ねじ孔形成部材２６により前記剥離シート支持板２５と前記剛性支持部材１２ａとの間隔を部分的に調節することを可能にする間隔調整部材（２１＋２６）が形成される。したがって、剛性の高い前記剛性支持部材１２ａと弾性のある前記剥離シート支持板２５との間の剛性の関係から、たとえば剥離シート支持板２５および剥離シート２４を、図８の２点鎖線で示すような湾曲した形状に調節することができる。
【００２８】
前記中央部分１２と前記回転操作軸４回りに回転可能な軸装着部１３，１３とを有する剥離部材支持部材１１が回転操作軸４回りに回転したとき、前記中央部分１２の側面に連結された前記ガイドロール支持用板ばね１６、板ばね固定部材１７、ねじ１８および複数のガイドロール１９と、中央部分１２の下面１２ａに支持された剥離部材２３等は、前記剥離部材支持部材１１と共に前記回転操作軸４回りに回転する。
図３、図４において、フロントプレート１およびリアプレート２にはねじＮ３により板ばね２７の一端部が支持されており、板ばね２７の自由端部は前記剥離部材支持部材１１の中央部分１２に係止されている。そして、前記回転操作軸４上に回転可能に支持された剥離部材支持部材１１は、前記板ばね２７により通常時は図３および図５に示す位置に保持されている。そして、剥離部材支持部材１１は、回転操作軸４が図５の回転位置から図６の回転位置に移動して、カム８が剛性支持部材１２ａを下方に押圧したとき（図６参照）に、回転操作軸４回りに反時計方向に回転するように構成されている。
【００２９】
図２〜図４において、フロントプレート１およびリアプレート２にはそれらの上端部に直角に折り曲げられたロッド連結部１ａ，２ａが設けられている。前記ロッド連結部１ａ，２ａの下面にはそれぞれロッド連結ブロック３１が固定されている。ロッド連結部材１ａ，２ａおよびロッド連結ブロック３１にはロッド３２の上端部が圧入状態で連結されるロッド圧入孔（図示せず）が形成されている。
前記ロッド３２は、その下端部にばね受座３３が設けられており、ばね受座３３は圧縮ばね３４の下端を支持している。
【００３０】
前記フロントプレート１およびリアプレート２にはそれぞれレバー支持軸３６（図２〜図４参照）が設けられており、レバー支持軸３６には回動レバー３７の一端部３７ａが回転可能に支持されている。回動レバー３７の他端部（自由端部）には板状のロッド貫通部３７ｂが設けられており、ロッド貫通部３７ｂには前記ロッド３２が軸方向にスライド可能に貫通するロッド貫通孔（図示せず）が形成されている。
前記ロッド貫通部３７ｂの下面は前記圧縮ばね３４の上端により常時上方に持ち上げられている。
【００３１】
図３〜図６において、加圧回転部材としての加圧ベルト（加圧定着用回転部材）Ｆｐは薄膜状のエンドレスのベルトにより形成されており、前記エンドレスの加圧ベルトＦｐの内側には加圧ベルトＦｐの幅方向（前記加熱ロールＦｈの軸方向）に延びるベルト支持フレーム４１が配置されている。
図３〜図７において、前記ベルト支持フレーム４１は、金属製の断面Ｊ型のフレーム本体４２と前記フレーム本体４２に溶接されたプレート４３により構成されている。  前記断面Ｊ型のフレーム本体４２は、その長手方向に垂直な断面図において、中央部４２ａと、その両端部で９０°折り曲げられて互いに対向するように配置された短辺部分４２ｂおよび長辺部分４２ｃとを有している。長辺部４２ｃは前記短辺部分４２ｂよりも長く形成されており、その先端部分は短辺部分４２ｂの先端よりも加熱ロールＦｈ側に突出している。すなわち、長辺部分４２ｃは前記短辺部分４２ｂの先端よりも加熱ロールＦｈ側に突出する突出部分４２ｃ1を有している。
【００３２】
前記断面Ｊ型のフレーム本体４２の一部（前記突出部分４２ｃ1を除いた部分）とプレート４３とにより断面長方形の高剛性の角筒が形成されている。
前記長辺部分４２ｃにはその長手方向に沿って間隔を置いて配置された複数のガイド装着孔４２ｃ2が形成されている。
前記プレート４３には図３〜図７において左右方向の中央部分に、その長手方向（図３〜図７の画面に垂直な方向）に沿って間隔を置いて配置された複数のばね収容筒貫通孔４３ａが形成されている。また、前記プレート４３には図３〜図７において左右方向の右端部分に、その長手方向（図３〜図７の画面に垂直な方向）に沿って間隔を置いて配置された複数の脚部材挿入孔４３ｂが形成されている。
前記断面Ｊ型のフレーム本体４２およびプレート４３により構成されたベルト支持フレーム４１は、前記フロントプレート１およびリアプレート２にそれぞれ支持された前記各回動レバー３７，３７に、連結部材４４を介して連結されている。なお、前記ベルト支持フレーム４１の両端部と回動レバー３７，３７との連結構造は適当な形状の連結部材４４を介して連結する代わりに、それらを直接連結することも可能である。
前記各回動レバー３７に長手方向の両端部が連結されたベルト支持フレーム４１は回動レバー３７の回動時に加熱ロールＦｈに対して接近した位置と離隔した位置との間で移動する。
【００３３】
前記ベルト支持フレーム４１を構成するフレーム本体４２の中央部分４２ａの下面には、その長手方向（加熱ロールＦｈの軸方向）に沿ってオイル吸収部材（フェルト等）４６が接着されている。
前記ベルト支持フレーム４１にはその短辺部分４２ｂおよび長辺部分４２ｃの外側面に、長手方向に沿ってそれぞれベルトガイド４８および４７が装着されている。前記ベルトガイド４７は、その長手方向に沿って間隔を置いて配置された複数のＬ型突起４７ａを有しており、前記複数のＬ型突起４７ａを前記複数のガイド装着孔４２ｃ2に挿入してから長手方向に移動させることにより、フレーム本体４２の長辺部分４２ｃの外側面に着脱自在に装着されている。
また、前記ベルトガイド４８も前記ベルトガイド４７と同様にして、フレーム本体４２の短辺部分４２ｂの外側面に着脱自在に装着されている。
【００３４】
前記ベルト支持フレーム４１を構成するプレート４３の上面にはばね支持部材５１が支持されており、ばね支持部材５１は、その長手方向（図３〜図７の画面に垂直な方向）に沿って間隔を置いて配置された複数のばね収容筒５１ａを有している。前記複数のばね収容筒５１ａは下方に突出して形成されており、前記プレート４３の複数のばね収容筒貫通孔４３ａに挿入可能である。また、ばね支持部材５１の上端部にはパッド支持部材ガイド面５１ｂが形成されている。
図５〜図７において、低摩擦シート５２は、前記プレート４３上面に支持されるプレート被支持部５２ａと、前記加圧ベルトＦｐの内周面に沿って配置されるベルト接触部５２ｂとを有している。前記プレート被支持部５２ａには前記複数のばね収容筒５１ａに対応した位置に貫通孔（図示せず）が形成されている。したがって、前記ばね支持部材５１の複数のばね収容筒５１ａは、前記低摩擦シート５２のプレート被支持部５２ａに形成された複数の貫通孔（図示せず）を貫通して前記プレート４３のばね収容筒貫通孔４３ａに装着されている。
【００３５】
前記加圧ベルトＦｐの幅方向に沿って配置された複数のばね収容筒５１ａ内部には、それぞれコイルばね５３が収容されており、各コイルばね５３の上面にはパッド支持部材５４が支持されている。パッド支持部材５４は加圧ベルトＦｐの幅方向に沿って延びており、パッド支持部材５４の図３〜図７において左側面は前記パッド支持部材ガイド面５１ｂによりガイドされている。
前記パッド支持部材５４の上面には弾性を有する押圧パッド５６が支持されている。前記パッド支持部材５４の図３〜図７で右側面には硬質のベルト押圧部材５７が配置されている。ベルト押圧部材５７は図３〜図７において画面に垂直な方向に延びており、その下面には長手方向に所定の間隔を置いて下方に延びる複数の脚部材５７ａが設けられている。前記ベルト押圧部材５７の脚部材５７ａは前記プレート４３の脚部材挿入孔４３ｂに挿入されており、ベルト押圧部材５７の図３〜図７で右側面は前記断面Ｊ型のフレーム本体４２の長辺部分４２ｃの内側面に当接している。
前記複数のばね収容筒５１ａに収容された各コイルばね５３により、前記パッド支持部材５４および押圧パッド５６は加熱ロールＦｈ側に押圧されている。
前記符号Ｆｐ，４１〜５７等で示された要素により加圧定着部材（Ｆｐ，４１〜５７）が構成されている。
【００３６】
図３、図５に示す状態では、前記ベルト押圧部材５７および押圧パッド５６は加圧ベルトＦｐをその裏面側から加熱ロールＦｈに押圧している。ベルト押圧部材５７は加熱ロールＦｈよりも硬質材料により形成されているので、加熱ロールＦｈの表面は前記硬質のベルト押圧部材５７により押圧される部分が凹状に変形している。この変形により加熱ロールＦｈおよび加圧ベルトＦｐの圧接領域である定着領域Ｑ５を通過する記録シートは加熱ロールＦｈ表面から剥離し易くなっている。
【００３７】
（実施の形態１の作用）
操作ハンドル６が図２の位置にあるときには、回転操作軸４は図３および図５の回転位置に保持されている。このとき、回転操作軸４に固定されたカム７，８は、図３、図５に示す位置に保持されている。またこのとき、前記加圧定着部材（Ｆｐ，４１〜５７）は加熱ロール（定着用加熱回転部材）Ｆｈに圧接する定着位置（図３、図５に示す位置）に保持されている。
前記操作ハンドル６を図２に示す位置から反時計方向に回転させると、回転操作軸４は前記図３、図５に示す位置から図４、図６に示す位置に回転する。このとき、カム７は回転操作軸４と共に反時計方向に回転し、図３の位置から図４の位置に回転する。このとき、カム７により回動レバー３７のロッド貫通部３７ｂが下方に押圧されるため、回動レバー３７はレバー支持軸３６回りに時計方向に回転し、加圧定着部材（Ｆｐ，４１〜５７）は、図３の定着位置（加熱ロールＦｈに圧接する位置）から図４の離隔位置（加熱ロールＦｈから離隔した位置）に移動する。
【００３８】
また、同時に、図５に示すカム８は回転操作軸４と共に反時計方向に回転して図６の位置に回転する。この図６に示す位置では、カム８は前記剛性支持部材１２ａを下方に押圧するので、前記剥離部材支持１１は前記図５に示す位置から回転操作軸４上で反時計方向に回転して図６に示す位置に回転する。このとき、剥離部材２３は図５の定着位置（剥離シート２４先端が加熱ロールＦｈ表面に近接する位置）から図６に示す離隔位置（剥離シート２４先端が加熱ロールＦｈ表面から離隔した位置）に移動する。
したがって、図２の操作ハンドル６を回転操作することにより、加圧定着部材（Ｆｐ，４１〜５７）を加熱ロール（定着用加熱回転部材）Ｆｈ表面に離隔、接近させると同時に、剥離シート２４の先端部を加熱ロール（定着用加熱回転部材）Ｆｈ表面に離隔、接近させることができる。
【００３９】
また、前記間隔調節部材２１＋２６（図８参照）を用いて前記剛性支持部材１２ａに対する剥離シート支持板２５の間隔を調節することにより、剥離シート２４の先端部の位置を、前記加熱ロールＦｈおよび加圧ベルトＦｐ（一対の記録シート挟持回転部材ＦｈおよびＦｐ）の圧接領域により形成される定着領域（記録シート挟持部）Ｑ５に対して適切な位置に配置することができる。このため、前記定着領域（記録シート挟持部）Ｑ５から排出される記録シートＳを前記加熱ロールＦｈおよび加圧ベルトＦｐ（一対の記録シート挟持回転部材Ｆｈ，Ｆｐ）の表面から確実に剥離させることが可能となる。
【００４０】
（実施の形態２）
図９は本発明の記録シート剥離装置の実施の形態２の説明図で前記実施の形態１の図５に相当する図である。
図１０は前記図９の要部の説明図で、シート剥離装置の要部の斜視図である。
図１１は前記図１０のシート剥離装置の要部を記録シート搬送方向から見た図である。
なお、この実施の形態２の説明において、前記実施の形態１の構成要素に対応する構成要素には同一の符号を付して、その詳細な説明を省略する。
この実施の形態２は、下記の点で前記実施の形態１と相違しているが、他の点では前記実施の形態１と同様に構成されている。
本発明の実施の形態２のシート剥離装置は、前記実施の形態１と同様に定着装置に適用した例である。
【００４１】
図９〜図１１において、剥離部支持部材１１の中央部分１２の下側部分にはプレート連結部材６０のねじ部分が下側から上側に貫通しており、ナット６１により固定されている。プレート連結部材６０の下端面には剛性プレート（剛性支持部材）６２が固着されている。前記剛性プレート（剛性支持部材）６２の下方には、剥離シート６３が下面に接着された剛性の小さな剥離シート支持板６４が配置されている。剥離シート支持板６４の上面には複数のねじ６６の下端部が固着されている。各ねじ６６は前記前記剛性プレート６２に形成されたねじ貫通孔を下方から上方に貫通している。前記ねじ６６には前記剛性プレート６２を挟んでナット６７および６８が螺合している。前記ナット６７，６８によりこの実施の形態２の間隔調節部材（６７＋６８）が構成されている。
【００４２】
（実施の形態２の作用）
前記構成を備えた本発明の実施の形態２のシート剥離装置では、前記実施の形態１と同様に、図２の操作ハンドル６を回転操作することにより、加圧定着部材（Ｆｐ，４１〜５７）を加熱ロール（定着用加熱回転部材）Ｆｈ表面に離隔、接近させると同時に、剥離シート２４の先端部を加熱ロール（定着用加熱回転部材）Ｆｈ表面に離隔、接近させることができる。
また、ナット６７および６８により構成される間隔調節部材（６７＋６８）を用いて前記剥離部支持部材１１下面に固定された剛性プレート（剛性支持部材）６２に対する剥離シート支持板６４の間隔を調節することができる。このとき、剥離シート６３の先端部の位置を、前記加熱ロールＦｈおよび加圧ベルト（定着用加圧回転部材）Ｆｐ（一対の記録シート挟持回転部材ＦｈおよびＦｐ）の圧接領域により形成される定着領域（記録シート挟持部）Ｑ５に対して適切な位置に配置することができる。このため、前記定着領域（記録シート挟持部）Ｑ５から排出される記録シートＳを前記加熱ロールＦｈおよび加圧ベルトＦｐ（一対の記録シート挟持回転部材Ｆｈ，Ｆｐ）の表面から確実に剥離させることが可能となる。
【００４３】
（変更例）
以上、本発明の実施の形態を詳述したが、本発明は、前記実施の形態に限定されるものではなく、特許請求の範囲に記載された本発明の要旨の範囲内で、種々の変更を行うことが可能である。本発明の変更実施の形態を下記に例示する。
【００４４】
（Ｈ01）加圧定着部材としては、加圧ベルトを使用する代わりに加圧ロールを使用可能である。
（Ｈ02）本発明のシート剥離装置は定着装置以外に転写装置にも適用することが可能である。
（Ｈ03）回転操作軸の回転は操作ハンドルを使用する代わりに、駆動モータ、またはソレノイド等を使用して回転させることが可能である。
【図面の簡単な説明】
【００４５】
【図１】図１は本発明の実施の形態１の記録シート剥離装置を備えた定着装置を有するカラー画像形成装置の説明図である。
【図２】図２は図１に示す定着装置の全体説明図で斜視図である。
【図３】図３は前記図２のIII−III線断面の要部説明図で、加圧ベルトが加熱ロールに圧接している状態を示す図である。
【図４】図４は前記図２のIII−III線断面の要部説明図で、加圧ベルトが加熱ロールから離隔している状態を示す図である。
【図５】図５は前記図２のＶ−Ｖ線断面の要部説明図で、記録シートを加熱ロールから剥離させるための剥離部材の先端を定着ロール表面に接近して配置した定着動作位置に保持された状態を示す図である。
【図６】図６は前記図５の剥離部材の先端を定着ロール表面から離隔した離隔位置に保持された状態を示す図である。
【図７】図７は図３〜図６に示す加圧ベルト定着部材の要部説明図であり、加圧ベルトの内側の分解断面図である。
【図８】図８は剥離部材支持部材に支持された剥離部材（記録シートを加熱ロール表面から剥離させるための部材）の説明図である。
【図９】図９は本発明の記録シート剥離装置の実施の形態２の説明図で前記実施の形態１の図５に相当する図である。
【図１０】図１０は前記図９に示す要部の説明図で、シート剥離装置の要部の斜視図である。
【図１１】図１１は前記図１０のシート剥離装置の要部を記録シート搬送方向から見た図である。
【符号の説明】
【００４６】
Ｆｈ…記録シート挟持回転部材、定着用回転加熱部材（加熱ロール）、Ｆｐ…記録シート挟持回転部材、定着用加圧回転部材、Ｑ５…記録シート挟持部（圧接領域、定着領域）、Ｓ…記録シート、４…回転操作軸、６…回転操作部材（操作ハンドル）、１２ａ，６２…剛性支持部材、２１＋２６，６７＋６８…間隔調整部材、２４，６３…剥離シート、２５，６４…剥離シート支持板、（Ｆｐ＋４１〜５７）…加圧定着部材、
【図１】
2006119677.tif 000003
【図２】
2006119677.tif 000004
【図３】
2006119677.tif 000005
【図４】
2006119677.tif 000006
【図５】
2006119677.tif 000007
【図６】
2006119677.tif 000008
【図７】
2006119677.tif 000009
【図８】
2006119677.tif 000010
【図９】
2006119677.tif 000011
【図１０】
2006119677.tif 000012
【図１１】
2006119677.tif 000013